(57)【要約】【目的】  機構部品を増やしたり、新たなスペースを必要とすること無く迷光を防止し、良好なファインダー内表示を得ることが可能なカメラのファインダー光学系を構成するペンタプリズムを提供する。【構成】  撮影レンズ１により集光される光束は、反射ミラー２で反射をし、ピント板３近傍に結像する。ピント板３近傍に結像した光束はファインダーマスク７で視野を制限され、ペンタプリズム５に入射、射出し、ファインダーレンズ８を介してアイポイント９に射出する。また、ファインダー表示ＬＣＤ６より射出したファインダー内情報は、ファインダー内表示プリズム４に入射し、反射をした後射出し、その光束はファインダーマスク７により制限された後、ペンタプリズム入射面に入射し、ペンタプリズムダハ面で２回反射し、ペンタプリズム第３反射面でさらに反射した後ペンタプリズム射出面より射出して、ファインダーレンズ８を介してアイポイント９に到達する。【選択図】図１
2007292897.tif 000002
【特許請求の範囲】
【請求項１】
カメラのファインダー光学系を構成するペンタプリズム入射面と対向して、ＬＣＤなどの表示素子からの光を反射させて該ペンタプリズム入射面に入射させる表示用プリズムを配置し、該ペンタプリズムは撮影レンズを通してピント板近傍に第１次結像した被写体像と共に、ファインダー内に該表示素子により表示された表示情報をファインダー視野下部に観察することが出来るカメラのファインダー光学系において、該ペンタプリズム入射面と射出面のなす角が９０°より大きいことを特徴とするカメラのファインダー光学系を構成するペンタプリズム。
【請求項２】
カメラのファインダー光学系を構成するペンタプリズム入射面と対向して、ＬＣＤなどの表示素子からの光を反射させて該ペンタプリズム入射面に入射させる表示用プリズムを配置し、該ペンタプリズムは撮影レンズを通してピント板近傍に第１次結像した被写体像と共に、ファインダー内に該表示素子により表示された表示情報をファインダー視野下部に観察することが出来るカメラのファインダー光学系において、該ペンタプリズムの入射面は該ピント板と平行に配置されていないことを特徴とするカメラのファインダー光学系を構成するペンタプリズム。
【発明の詳細な説明】
【技術分野】
【０００１】
本発明はカメラ、特にペンタダハプリズムを用いた一眼レフカメラのファインダー内表示装置に関する。
【背景技術】
【０００２】
カメラのファインダー内に表示する情報としては、ＡＦの合焦、多点ＡＦにおけるＡＦ選択位置情報、露出補正、シャッター速度、絞り値、残り撮影可能枚数などがある。これらの情報のうち多点ＡＦ選択位置情報は、ピント板から来る被写体像に重ねて（スーパーインポーズ）表示させることもある。
【０００３】
しかし、その他の情報は、撮影に必要になる情報であるが、ピント板から来る被写体像に重ねると被写体情報を損ねることになるため、ファインダー視野の左右部や下部にファインダー内情報として表示させている。このファインダー内表示は近年、多くの場合ファインダー視野の下部に配置されており、ＬＣＤなどの表示素子からの光を略直角二等辺三角形のプリズムで上方に反射させ、ペンタプリズム入射面より入射し、ペンタプリズムダハ面、ペンタプリズム第三反射平面で反射を行い、ペンタプリズム射出面より射出されファインダー接眼レンズにより集光されて観察される。
【０００４】
この種のカメラのファインダー内表示装置としては例えば、特開平４−８５５２５号公報では、表示用プリズムを二等辺三角形にすることにより迷光を防止することが出来ることを提案している。また特開平１１−３３８０３８号公報では表示プリズム入射面、射出面いずれかに絞りを配置することで迷光ゴースト、フレアを防止する方法が提案されている。
【特許文献１】特開平４−８５５２５号公報
【特許文献２】特開平１１−３３８０３８号公報
【発明の開示】
【発明が解決しようとする課題】
【０００５】
しかしながら、上記従来技術においてはこの表示素子からの光束はプリズムで反射した後、ペンタプリズムに入射し、ペンタプリズムダハ面で反射するものであるが、この表示光束の角度によってはペンタプリズム射出面によって全反射をした後、ペンタプリズムダハ面で反射し、ペンタプリズム第三反射平面で反射し、ペンタプリズムを射出し、ファインダーレンズで集光した像が観察されることがある。
【０００６】
この光束の光路はペンタプリズム射出面に全反射しない必要光束の光路と異なり、また反射回数も１回多くなるため、鏡像の迷光となって観察されてしまう。もちろんＬＣＤの発光視野角が十分に狭く、アイポイントに直接到達する視野角のみであれば、このような迷光発生の懸念は無いが、実際ＬＣＤはかなり広い発光視野角を持っており、迷光となりうる発光角の光束もある。
【０００７】
この迷光の光路を遮断するためには、ファインダー内表示を制限するファインダーマスク、ペンタプリズムダハ面の遮光マスク、ペンタプリズム射出面の遮光マスクの３つのうちいずれか１つで、ファインダー内ＬＣＤからアイポイントに到達する迷光の光路を遮断することが出来れば、迷光が発生しない良好なファインダー表示を得ることが出来る。
【０００８】
しかしながら、近年１３５フィルムよりも一回り小さいＡＰＳ−Ｃサイズと呼ばれるフォーマットを持ったデジタルカメラが主流となっている。フィルムサイズが小型化するとそれと同じくしてピント板も小さくなり、ペンタプリズムも小さくすることが可能となり、カメラの小型化、またファインダー光路長も短くなることからファインダー倍率を大きくすることが可能となるので、ペンタプリズムは小型化の方向になっている。
【０００９】
ペンタプリズムが小型化すると迷光の光路を遮断することが可能な上記ファインダーマスク、ペンタプリズムダハ面の遮光マスク、ペンタプリズム射出面の遮光マスクの３つの部位の光学的な間隔が近くなってしまうため、また光路の兼ね合いから必要光束を遮断せずに、迷光のみ遮断することが難しい状況が生じうる。従来のファインダーマスク、ペンタプリズムダハ面の遮光マスク、ペンタプリズム射出面の遮光マスクのみでの遮光では、迷光のみを有効に遮光することは難しい場合がある。
【００１０】
また、特開平４−８５５２５号公報では表示用プリズムを二等辺三角形にする方法を、特開平１１−３３８０３８号公報においては表示プリズム入射面、射出面いずれかに絞りを配置する方法は述べられていても、カメラの小型化による迷光の遮断方法については述べられていない。
【課題を解決するための手段】
【００１１】
上記課題を解決するために、本発明の請求項１に係る発明は、カメラのファインダー光学系を構成するペンタプリズム入射面と対向して、ＬＣＤなどの表示素子からの光を反射させて該ペンタプリズム入射面に入射させる表示用プリズムを配置し、該ペンタプリズムは撮影レンズを通してピント板近傍に第１次結像した被写体像と共に、ファインダー内に該表示素子により表示された表示情報をファインダー視野下部に観察することが出来るカメラのファインダー光学系において、該ペンタプリズム入射面と射出面のなす角が９０°より大きいことを特徴とするものである。
【００１２】
本発明の請求項２に係る発明は、カメラのファインダー光学系を構成するペンタプリズム入射面と対向して、ＬＣＤなどの表示素子からの光を反射させて該ペンタプリズム入射面に入射させる表示用プリズムを配置し、該ペンタプリズムは撮影レンズを通してピント板近傍に第１次結像した被写体像と共に、ファインダー内に該表示素子により表示された表示情報をファインダー視野下部に観察することが出来るカメラのファインダー光学系において、該ペンタプリズムの入射面は該ピント板と平行に配置されていないことを特徴とするものである。
【発明の効果】
【００１３】
本発明のカメラのファインダー光学系を構成するペンタプリズムを使用することにより、機構部品を増やしたり、新たなスペースを必要とすること無く迷光を防止し、良好なファインダー内表示を得ることが可能になる。
【発明を実施するための最良の形態】
【００１４】
以下、図面等を参照して本発明の最も良好な実施形態を説明する。
【００１５】
図１は本発明のペンタプリズムを使用したファインダー光学系の断面図である。１が撮影レンズ、２が反射ミラー（メインミラー）、３がピント板、４がファインダー内表示プリズム、５がペンタプリズム、６がファインダー表示ＬＣＤ、７がファインダーマスク、８がファインダーレンズ、９がアイポイントである。
【００１６】
通常、撮影レンズ１により集光される光束は、反射ミラー２で反射をし、ピント板３近傍に結像する（第１次結像）。ピント板３近傍に結像した光束はファインダーマスク７で視野を制限され、ペンタプリズム５に入射、射出し、ファインダーレンズ８を介してアイポイント９に射出する。このアイポイント９に到達した光が撮影像光束と等価である。また、ファインダー表示ＬＣＤ６より射出したファインダー内情報は、ファインダー内表示プリズム４に入射し、反射をした後射出する。射出した光束はファインダーマスク７により光束を制限された後、ペンタプリズム入射面に入射した後、ペンタプリズムダハ面で２回反射し、ペンタプリズム第３反射面でさらに反射した後ペンタプリズム射出面より射出して、ファインダーレンズ８を介してアイポイント９に到達する。
【００１７】
図１に図示の配置により、観察者には図２のように撮影視野と視野の下にファインダー内表示を観察することが出来る。図３はファインダー光学系の必要光の光路を表した断面図である。図１に図示のファインダー表示ＬＣＤ６より射出した光束は、ファインダー内表示プリズム４に入射し、ファインダー内表示プリズム反射面にて略直角に反射され、ファインダー内表示プリズム射出面にて射出され、ファインダーマスク７により光束を制限され、ペンタプリズム５に入射する。ペンタプリズムダハ面で２回反射した後、ペンタプリズム第３反射面で反射をし、ペンタプリズム射出面より射出し、ファインダーレンズ８を介してアイポイント９に到達する。
【００１８】
図４はファインダー光学系の迷光の光路を表した断面図である。図１に図示のファインダー表示ＬＣＤ６より射出した光束は、ファインダー内表示プリズム４に入射し、ファインダー内表示プリズム反射面にて略直角に反射され、ファインダー内表示プリズム射出面にて射出され、ファインダーマスク７で光束を制限されることなく開口部を通過し、ペンタプリズム入射面より入射する。この迷光はペンタプリズム射出面にて全反射をし、ペンタプリズムダハ面にて２回反射をした後、ペンタプリズム第３反射面で反射をし、ペンタプリズム射出面より射出をし、ファインダーレンズ８を介してアイポイント９に入射する。
【００１９】
必要光と迷光の光路の違いはペンタプリズム入射面より入射した後、ペンタプリズムダハ面で反射する前にペンタプリズム射出面にて全反射をする光束が迷光となり、ペンタプリズム射出面にて全反射すること無くペンタプリズムダハ面に到達する光束が必要光束である。反射の回数が、迷光は必要光と比較して一度多いため、迷光は鏡像としてアイポイント９で観察される。また迷光の光路は必要光よりもアイポイント９では、下側になるため、図５のようにファインダー視野内に迷光となって観察される。このため、迷光を遮光するためには、ファインダーマスク７、後述するペンタプリズムダハ面視野制限マスク及びペンタプリズム射出面マスクのいずれかで迷光を制限する必要がある。
【００２０】
図６はファインダー光学系の必要光と迷光の光路を表した断面図である。１０がペンタプリズムダハ面視野制限マスク、１１がペンタプリズム射出面マスクである。ペンタプリズムダハ面は反射面のために、アルミニウムや銀が蒸着塗布され高反射率を得られるように製造されるが、ペンタプリズムダハ面視野制限マスク１０には反射物質は塗布されず、黒色塗装され、この部位に到達した光束が反射、拡散せず吸収されるようになっている。同じように、ペンタプリズム第３反射面も必要光束到達部位以外は黒色塗装される。通常必要光と迷光の光路が異なり、迷光のみが到達する部位に遮光を入れることによりアイポイントに必要光は到達し、迷光は到達しないように設計する。この遮光は図６のファインダーマスク７，ペンタプリズムダハ面視野制限マスク１０、ペンタプリズム射出面マスク１１のいずれかにて行われる。
【００２１】
図６で分かるとおり、このファインダーマスク７，ペンタプリズムダハ面視野制限マスク１０、ペンタプリズム射出面マスク１１のどこの部位でも必要光と迷光の光路がほぼ一致してしまい、迷光のみを十分に遮光することが出来ないことが生じることがある。これは、図１に図示のファインダー表示ＬＣＤ６，ファインダー内表示プリズム４、ファインダーマスク７、ペンタプリズム５の配置により決まるファクターであるが、近年、カメラの小型化が進むに連れて、これらの部材の設計段階での自由度は非常に少なくなり、限られた空間に配置せざるを得ないことが生じ得る。
【００２２】
図７はペンタプリズムの入射面と射出面とがなす角度を９０°よりも多少（０．２５°〜１．５°程度）大きくして配置させたファインダー光学系の必要光と迷光の光路を表した断面図である。図７のように、ペンタプリズム５の入射面と射出面とがなす角度を９０°よりも多少（０．２５°〜１．５°程度）大きくすることにより必要光の光路を殆ど変えること無く迷光の光路を大幅に変化させることが可能になり、ファインダーマスク７と、ペンタプリズムダハ面視野制限マスク１０にて必要光を制限せずに迷光のみを十分に遮光することが可能になる。本発明では、ペンタプリズム入射面はピント板３と平行のまま、ペンタプリズム射出面の入射面となす角を９０°よりも大きくした。
【００２３】
図８はペンタプリズムの入射面と射出面とがなす角度は９０°のままペンタプリズムを微小に回転させて配置させたファインダー光学系の必要光と迷光の光路を表した断面図である。この例でも図７と同じように必要光と迷光の光路を大幅に変更させることが可能となっている。このことにより必要光を遮光すること無く迷光のみを図７と同じように遮光することが可能になる。図７と同じようにファインダーマスク７とペンタプリズムダハ面視野制限マスク１０によって、必要光を遮光すること無く迷光のみを遮光することが可能になることが分かる。
【図面の簡単な説明】
【００２４】
【図１】本発明によるペンタプリズムを使用したファインダー光学系の断面図である。
【図２】ファインダー内視野を表した平面図である。
【図３】ファインダー光学系の必要光の光路を表した断面図である。
【図４】ファインダー光学系の迷光の光路を表した断面図である。
【図５】ファインダー光学系に迷光があった場合のファインダー内視野を表した平面図である。
【図６】ファインダー光学系の必要光と迷光の光路を表した断面図である。
【図７】ペンタプリズムの入射面と射出面とがなす角度を９０°よりも多少（０．２５°〜１．５°程度）大きくして配置させたファインダー光学系の必要光と迷光の光路を表した断面図である。
【図８】ペンタプリズムの入射面と射出面とがなす角度は９０°のままペンタプリズムを微小に回転させて配置させたファインダー光学系の必要光と迷光の光路を表した断面図である。
【符号の説明】
【００２５】
１  撮影レンズ
２  反射ミラー
３  ピント板
４  ファインダー内表示プリズム
５  ペンタプリズム
６  ファインダー表示ＬＣＤ
７  ファインダーマスク
８  ファインダーレンズ
９  アイポイント
１０  ペンタプリズムダハ面視野制限マスク
１１  ペンタプリズム射出面マスク
【図１】
2007292897.tif 000003
【図２】
2007292897.tif 000004
【図３】
2007292897.tif 000005
【図４】
2007292897.tif 000006
【図５】
2007292897.tif 000007
【図６】
2007292897.tif 000008
【図７】
2007292897.tif 000009
【図８】
2007292897.tif 000010